(57)【要約】      （修正有）【課題】後工程の時間と手順を省くとともに、３Ｄプリンタ用線材が病原菌に汚染される可能性を低減させ、且つ抗菌効果を長持ちさせる、３Ｄプリンタ用線材の抗菌構造を提供する。【解決手段】抗菌層１と、色彩層２と、補助層３と、樹脂層４とからなる。補助層３は樹脂層４一側に設けられ、色彩層２は補助層３における樹脂層４から離れた一側に設けられ、抗菌層１は色彩層２における補助層３から離れた一側に設けられる。更に、抗菌層１・色彩層２・補助層３は、熱溶解によって樹脂層４上に結合される。熱溶解の温度は１００度Ｃから５００度Ｃの間であり、且つ熱溶解によって形成された３Ｄプリンタ用線材の線径は０．８０ｍｍから３．２０ｍｍの間である。以上により、３Ｄプリンタ用線材自体に抗菌効果が備わり、且つ加熱によって成形された造形物が抗菌層に覆われることで抗菌効果を備えるようになるため、別途抗菌素材を噴射塗装・塗布する必要がなくなる。【選択図】図２
0003204870.tif 000002
【実用新案登録請求の範囲】
【請求項１】
３Ｄプリンタ用線材の抗菌構造であって、
前記３Ｄプリンタ用線材は、抗菌層と、色彩層と、補助層と、樹脂層とからなり、
前記色彩層は、前記抗菌層一側に設けられ、
前記補助層は、前記色彩層における前記抗菌層から離れた一側に設けられるとともに、前記色彩層によって色を備えるようになり、
前記樹脂層は、前記補助層における前記色彩層から離れた一側に設けられることを特徴とする、３Ｄプリンタ用線材の抗菌構造。
【請求項２】
前記色彩層は、粉末着色剤、或はカラーマスターバッチのいずれか一つによってなるとともに、前記色彩層は、黒色・紫色・白色・緑色・橙色・銀灰色・無色・青色・ピンク色・黄色・赤色・その他の色彩の中のいずれか一つの色を備えることを特徴とする、請求項１に記載の３Ｄプリンタ用線材の抗菌構造。
【請求項３】
前記抗菌層・前記色彩層・前記補助層は、熱溶解によって前記樹脂層上に結合されるとともに、熱溶解の温度は、１００度Ｃから５００度Ｃの間であることを特徴とする、請求項１に記載の３Ｄプリンタ用線材の抗菌構造。
【請求項４】
前記３Ｄプリンタ用線材の線径は、０．８０ｍｍから３．２０ｍｍの間になるように制御されることを特徴とする、請求項１に記載の３Ｄプリンタ用線材の抗菌構造。
【請求項５】
３Ｄプリンタ用線材の抗菌構造であって、
前記３Ｄプリンタ用線材は、抗菌層と、補助層と、樹脂層とからなり、
前記補助層は、前記抗菌層一側に設けられ、
前記樹脂層は、前記補助層における前記抗菌層から離れた一側に設けられることを特徴とする、請求項１に記載の３Ｄプリンタ用線材の抗菌構造。
【請求項６】
前記抗菌層と前記補助層は、熱溶解によって前記樹脂層上に結合されるとともに、熱溶解の温度は、１００度Ｃから５００度Ｃの間であることを特徴とする、請求項５に記載の３Ｄプリンタ用線材の抗菌構造。
【請求項７】
前記３Ｄプリンタ用線材の線径は、０．８０ｍｍから３．２０ｍｍの間になるように制御されることを特徴とする、請求項５に記載の３Ｄプリンタ用線材の抗菌構造。
【考案の詳細な説明】
【技術分野】
【０００１】
本考案は、３Ｄプリンタ用線材に関し、特に線材自体に抗菌効果が備わるようにする、３Ｄプリンタ用線材の抗菌構造に関する。
【背景技術】
【０００２】
３Ｄプリントは、粉末状金属や樹脂等の粘着可能な材料が使用されるとともに、デジタル造形データを元に、一層ずつ積層させることにより、材料を実体として成形する方法が用いられる。成形する方法としては、種々の方式があり、例えば、可塑性材料を溶解或は軟化させてプリントする選択的レーザー焼結（ＳＬＳ）・熱溶解積層方式（ＦＤＭ）・熱溶解フィラメント製法（ＦＦＦ）の他、液体材料を用いて立体に印刷する光造形方式（ＳＬＡ）・シート積層方式（ＬＯＭ）などがある。用いられる材料に応じて、選択可能なプリント方式も異なる。使用者は通常、造形物の需要に応じて特定の材料を選ぶとともに、材料の性質に合った３Ｄプリント方式を用いて、造形物を製作する。
【０００３】
３Ｄプリント方法によって製作された造形物は、製作物の構造上の特性しか備えていない場合がほとんどである。もし、使用者が抗菌性を必要とする場合、造形物上に別途、抗菌性を備えた構造を噴射塗装・塗布しなければならず、プリントした後に抗菌性の造形物にするのは非常に手間がかかる。また、線材原料が抗菌効果を有さない場合、プリントする前に線材が汚染されてしまったり、プリントした造形物が病原菌に汚染されたりする可能性が非常に高い。
【考案の概要】
【考案が解決しようとする課題】
【０００４】
そこで、本考案は、抗菌層が設けられることで、製品の成形と同時に抗菌効果が備わるようになり、別途抗菌性素材を噴射塗装・塗布する必要が無くなるという利点を有するとともに、効果的に後工程の時間や手順を省き、且つ３Ｄプリンタ用線材が病原菌に汚染される可能性を低減させて、抗菌効果を長持ちさせることが出来る、３Ｄプリンタ用線材の抗菌構造を提供することを目的とする。
【課題を解決するための手段】
【０００５】
上述の目的を達成するため、本考案は、抗菌層と、抗菌層一側に設けられた色彩層と、色彩層一側に設けられた補助層と、補助層一側に設けられた樹脂層とからなる。前記補助層は、樹脂層・色彩層・抗菌層の熱溶解時における流動性・延伸性・耐熱性・抗酸化性・ＵＶ抵抗性等の機能性を向上させるために用いられる。更に、色彩層は、補助層に色を生じさせるために用いられるとともに、黒色・紫色・白色・緑色・橙色・銀灰色・無色・青色・ピンク色・黄色・赤色・その他の色彩の中のいずれか一つの色を備える。以上により、造形物を３Ｄプリントする時、抗菌層・色彩層・補助層・樹脂層を供えた本考案の３Ｄプリンタ用線材が、熱溶解結合による積層方式によって、一つの造形物として成形されることにより、前記造形物は抗菌効果を備えるようになる。
【考案の効果】
【０００６】
以上の技術により、造形物上に別途抗菌性の構造を噴射塗装・塗布しなければならず、非常に面倒で時間がかかること、及び塗布した後の効果持続性といった、従来の３Ｄプリント造形物における問題を解決することが出来る。本考案は、以上の長所と実用進歩性を備える。
【図面の簡単な説明】
【０００７】
【図１】本考案の実施例１の斜視図である。
【図２】本考案の図１におけるＡ−Ａ線断面図である。
【図３】本考案の実施例を用いて造形物を３Ｄプリントする様子を示した概略図である。
【図４】本考案の実施例を用いた造形物の概略図である。
【図５】本考案の実施例２の断面図である。
【考案を実施するための形態】
【０００８】
（実施例１）
図１及び図２を参照する。図は、本考案の実施例１の斜視図、及び図１のＡ−Ａ線断面図である。本考案の３Ｄプリンタ用線材６は、抗菌層１と、色彩層２と、補助層３と、樹脂層４とからなる。
【０００９】
色彩層２は、抗菌層１一側に設けられるとともに、色彩層２は、粉末着色剤、或はカラーマスターバッチのいずれか一つによってなり、且つ黒色・紫色・白色・緑色・橙色・銀灰色・無色・青色・ピンク色・黄色・赤色・その他の色彩の中のいずれか一つの色である。
【００１０】
補助層３は、色彩層２における抗菌層１から離れた一側に設けられるとともに、色彩層２によって色を備えるようになる。
【００１１】
樹脂層４は、補助層３における色彩層２から離れた一側に設けられる。また、抗菌層１・色彩層２・補助層３は、熱溶解によって樹脂層４上に結合される。
【００１２】
図１から図４までを合わせて参照する。図はそれぞれ、本考案の実施例１の斜視図・図１のＡ−Ａ線断面図・造形物プリントの概略図・造形物の概略図である。造形物を３Ｄプリントする時、３Ｄプリンタ５の材料出力端から、抗菌層１・色彩層２・補助層３・樹脂層４からなる３Ｄプリンタ用線材６（３Ｄプリンタ用線材６の表面には抗菌層１が設けられる）が出力される。これにより、３Ｄプリンタ用線材６によってプリント成形された造形物７は、表面に抗菌効果が備わるため、使用者が別途抗菌素材を加える必要が無くなる。また、本考案の抗菌層１の材質は、顧客需要に応じて予め特殊な抗菌効果が加えられて抗菌層１を形成することも可能である。このほか、熱溶解結合による成形時間において、熱溶解の温度は１００度Ｃから５００度Ｃの間であるとともに、線径は０．８０ｍｍから３．２０ｍｍの間になるよう制御される。
【００１３】
また、図４を参照する。３Ｄプリンタ用線材６を用いてプリント成形された完成品の表面は、一層の抗菌層１を備える。これにより、造形物７自体が抗菌効果を備えるようになる。
【００１４】
（実施例２）
図５を参照する。図は、本考案の実施例２の断面図である。本実施例は、上述した実施例１と以下の点において異なる。抗菌層１ａ一側には、補助層３ａが設けられ、補助層３ａにおける抗菌層１ａから離れた一側には樹脂層４ａが設けられる。抗菌層１ａ及び補助層３ａは、熱溶解によって樹脂層４ａ上に結合される。また、熱溶解の温度は、１００度Ｃから５００度Ｃの間であり、成形された３Ｄプリンタ用線材の線径は、０．８０ｍｍから３．２０ｍｍの間になるよう制御される。以上により、本体が抗菌効果を備えるという利点が備わる。このように、本実施例と上述の実施例１との主な違いは、色彩層が設けられないという点である。即ち、本実施例の３Ｄプリンタ用線材は、無色（透光色）をなし、これにより本考案には、多様な変化可能性いう利点が備わる。
【００１５】
以上は、あくまで本考案の実施例についての記述であり、これにより本考案の請求範囲を制限するものではない。よって、本考案の明細書及び図の内容を用いてなされた簡単な装飾や同等の効果を備えた構造の変化は、いずれも本考案の請求範囲内に含まれる。
【００１６】
全ての図を参照する。本考案を使用することにより、従来技術と比較して、以下の利点が得られる。
１、抗菌層１が設けられることにより、製品成形と同時に抗菌効果が備わるようになるため、別途抗菌素材を噴射塗装・塗布する必要が無くなる。よって効果的に後工程における時間や手順を省くとともに、３Ｄプリンタ用線材６が病原菌に汚染される可能性を低減させ、且つ抗菌効果を長持ちさせることが出来る。
２、抗菌層１の材質には、顧客需要に応じて予め特殊な抗菌効果を加えることが出来る。
【符号の説明】
【００１７】
１抗菌層
１ａ抗菌層
２色彩層
３補助層
３ａ補助層
４樹脂層
４ａ樹脂層
５３Ｄプリンタ
６３Ｄプリンタ用線材
７造形物
【図１】
0003204870.tif 000003
【図２】
0003204870.tif 000004
【図３】
0003204870.tif 000005
【図４】
0003204870.tif 000006
【図５】
0003204870.tif 000007
【手続補正書】
【提出日】平成28年4月11日(2016.4.11)
【手続補正１】
【補正対象書類名】実用新案登録請求の範囲
【補正対象項目名】請求項５
【補正方法】変更
【補正の内容】
【請求項５】
３Ｄプリンタ用線材の抗菌構造であって、
前記３Ｄプリンタ用線材は、抗菌層と、補助層と、樹脂層とからなり、
前記補助層は、前記抗菌層一側に設けられ、
前記樹脂層は、前記補助層における前記抗菌層から離れた一側に設けられることを特徴とする、３Ｄプリンタ用線材の抗菌構造。